(57)【要約】【課題】  タブレット型電子装置を保護することができ、かつタブレット型電子装置を複数の角度で自立させることができるカバーを提供する。【解決手段】  タブレット型電子装置用３０のカバーは、下殻体１０と、下殻体１０に枢接されている上カバー２０とを備える。上カバー２０は、スクリーンの保護に用いられ、複数の折痕Ｈ、折痕Ｑ、折痕Ｒ、折痕Ｓ、折痕ａ、折痕ｂおよび折痕ｃを有する。上カバー２０は、折痕に沿って折ることにより複数の立体形状を形成することができ、立てると異なる角度で下殻体を支えることができる。そのため、タブレット型電子装置３０は、下殻体１０の中に覆われ、複数の角度で立てることができ、使用者はよりよい角度からスクリーンを見たり、文字を入力することができる。上カバー２０は、タブレット型電子装置３０のスクリーンを保護するほか、タブレット型電子装置３０を支える支えにもなる。【選択図】図３
0003180096.tif 000002
【実用新案登録請求の範囲】
【請求項１】
タブレット型電子装置用のカバーであって、
前記タブレット型電子装置の内部のハードウェアーの保護に用いられ、縁枠の外形が円弧形であり、前記タブレット型電子装置の背面に覆い被せることができる下殻体と、
前記下殻体と連結され、前記タブレット型電子装置のスクリーンが損傷しないように保護することができ、折痕組に含まれる折痕によって折り畳むことができる上カバーと、
を備え、
前記上カバーの前記折痕組は、複数設けられ、
前記折痕組のうち第１折痕組は、前記上カバーの中心箇所下側に近い点Ｐから上側の両辺角に近い箇所へそれぞれ延びる折痕Ｑおよび折痕Ｒと、前記折痕Ｑ及び前記折痕Ｒと交差するとともに前記上カバーの両側辺まで延び、前記上カバーの上縁と平行な折痕ａと、前記折痕ａと前記折痕Ｑとの交点から前記上カバーの下縁の一方の角まで延びる折痕ｂと、前記折痕ａと前記折痕Ｒとの交点から前記上カバーの下縁の他方の角まで延びる折痕ｃと、を含み、前記カバーのうち前記折痕ａの上側と下側とにそれぞれ梯形部を形成し、
前記タブレット型電子装置を前記下殻体の中に置き、前記上カバーにより前記スクリーンに蓋をすると、前記下殻体および前記上カバーは前記タブレット型電子装置を覆い包み、
前記上カバーを開いて前記タブレット型電子装置の背面側に折り畳み、前記上カバーを前記折痕に沿って折り曲げて立体的形状にすると、前記上カバーは、前記下殻体と前記タブレット型電子装置とを支えることができ、複数の角度で前記タブレット型電子装置を支持することを特徴とするタブレット型電子装置用のカバー。
【請求項２】
前記折痕Ｑ、前記折痕Ｒ、前記折痕ａ、前記折痕ｂおよび前記折痕ｃは、前記カバーの厚みより薄いことを特徴とする請求項１記載のタブレット型電子装置用のカバー。
【請求項３】
前記折痕組のうち第２折痕組は、前記折痕Ｑおよび前記折痕Ｒと、前記点Ｐを通り前記上カバーの下側辺縁と平行な折痕Ｈと、前記点Ｐから前記上カバーの下側辺縁まで延びる折痕Ｓと、を含み、前記上カバーの上側に三枚の三角形部（４１、４２、４３）を形成し、前記上カバーの下側辺縁と前記折痕Ｈとの間に二枚の長方形部（４４、４５）を形成することを特徴とする請求項１記載のタブレット型電子装置用のカバー。
【請求項４】
三枚の前記三角形部は、直角三角形の三角形部（４１、４３）が二等辺三角形の三角形部（４２）を挟むように配置され、
二枚の前記長方形部は、三角形部（４１、４３）の底辺に位置するように配置されていることを特徴とする請求項３記載のタブレット型電子装置用のカバー。
【請求項５】
前記折痕Ｑ、前記折痕Ｒ、前記折痕Ｈおよび前記折痕Ｓは、前記カバーの厚みよりも薄いことを特徴とする請求項３または４記載のタブレット型電子装置用のカバー。
【請求項６】
前記下殻体は、前記タブレット形電子装置の外部接続スロットに対応する箇所に位置する孔と、前記タブレット形電子装置のスピーカに対応する箇所に位置する孔と、を有することを特徴とする請求項１記載のタブレット型電子装置用のカバー。
【請求項７】
前記上カバーは、前記折痕Ｈと前記折痕ａとの間に位置し、前記折痕Ｈおよび前記折痕ａと平行な折痕Ｌを有することを特徴とする請求項３記載のタブレット型電子装置用のカバー。
【請求項８】
タブレット型電子装置用のカバーであって、
前記タブレット型電子装置の内部のハードウェアーの保護に用いられ、縁枠の外形が円弧形であり、前記タブレット型電子装置の背面に覆い被せることができる下殻体と、
前記下殻体と連結され、前記タブレット型電子装置のスクリーンが損傷しないように保護することができ、折痕組に含まれる折痕によって折り畳むことができる上カバーと、
を備え、
前記上カバーの前記折痕組は複数設けられ
前記折痕組のうち第１折痕組は、前記上カバーの中心点下側に近い点Ｐ’を通り前記上カバーの下側辺縁と平行な折痕Ｈ’と、前記折痕Ｈ’の一端部の点ｅ’から前記上カバーの下縁の一方の角および上縁の一方の角まで延びている折痕ｅ１’および折痕ｅ２’と、前記折痕Ｈ’の他端部の点ｆ’から前記上カバーの下縁の他方の角および上縁の他方の角まで延びている折痕ｆ１’および折痕ｆ２’と、を含み、折痕Ｈ’の上側と下側とにそれぞれ二つの梯形部を形成し、折痕ｅ１’および折痕ｅ２’の外側と折痕ｆ１’および折痕ｆ２’の外側とに三角形部を形成し、
前記タブレット型電子装置を前記下殻体の中に置き、前記上カバーにより前記スクリーンに蓋をすると、前記下殻体および前記上カバーは前記タブレット型電子装置を覆い包み、
前記上カバーを開いて前記タブレット型電子装置の背面側に折り畳み、前記上カバーを前記折痕に沿って折り曲げて立体的形状にすると、前記上カバーは、前記下殻体と前記タブレット型電子装置とを支えることができ、複数の角度で前記タブレット型電子装置を支持することを特徴とするタブレット型電子装置用のカバー。
【請求項９】
前記折痕Ｈ’、前記折痕ｅ１’、前記折痕ｅ２’、前記折痕ｆ１’および前記折痕ｆ２’は、前記上カバーの厚みよりも薄いことを特徴とする請求項８記載のタブレット型電子装置用のカバー。
【請求項１０】
前記折痕組のうち第２折痕組は、前記折痕Ｑ’および前記折痕Ｒ’と、前記点Ｐ’を通り前記上カバーの下側辺縁と平行な折痕Ｈ’と、前記点Ｐ’から前記上カバーの下側辺縁まで延びる折痕Ｓ’と、を含み、前記上カバーの上側に三枚の三角形部（４１、４２、４３）を形成し、前記上カバーの下側辺縁と前記折痕Ｈ’との間に二枚の長方形部（４４、４５）を形成することを特徴とする請求項８記載のタブレット型電子装置用のカバー。
【考案の詳細な説明】
【技術分野】
【０００１】
本考案は、タブレット型電子装置用のカバーに関する。
【背景技術】
【０００２】（公序良俗違反につき、不掲載）
【考案の概要】
【考案が解決しようとする課題】
【０００３】（公序良俗違反につき、不掲載）【０００４】
本考案は、上述の点に鑑みて為されたものであり、その目的は、タブレット型電子装置を保護することができ、かつタブレット型電子装置を複数の角度で自立させることができるカバーを提供することである。
【課題を解決するための手段】
【０００５】
本考案は、タブレット型電子装置用のカバーであって、下殻体と、下殻体に枢接されている上カバーとを備える。上カバーは、スクリーンの保護に用いられ、複数の折痕を有する。上カバーは、折痕に沿って折ることにより複数の立体形状を形成することができ、立てると異なる角度で下殻体を支えることができる。
そのため、タブレット型電子装置は、下殻体の中に覆われ、複数の角度で立てることができ、使用者はよりよい角度からスクリーンを見たり、文字を入力することができる。上カバーは、タブレット型電子装置のスクリーンを保護するほか、タブレット型電子装置を支える支えにもなる。
【図面の簡単な説明】
【０００６】
【図１】本考案の第１実施形態によるカバー及びタブレット型ＰＣの斜視図であり、上カバーの第一折痕組を示す。
【図２】本考案の第１実施形態によるカバー及びタブレット型ＰＣの斜視図であり、上カバーの第二折痕組を示す。
【図３】本考案の第１実施形態によるカバー及びタブレット型ＰＣの斜視図であり、上カバーの第一折痕組と第二折痕組とを重ねて示す。
【図４Ａ】本考案の第１実施形態によるカバーの応用例の斜視図を示す。
【図４Ｂ】図４Ａを異なる角度から見た斜視図である。
【図５Ａ】本考案の第１実施形態によるカバーの第２の応用例の斜視図である。
【図５Ｂ】図５Ａを異なる角度から見た斜視図である。
【図６Ａ】本考案の第１実施形態によるカバーの第３の応用例の斜視図である。
【図６Ｂ】図６Ａの正面図である。
【図６Ｃ】図６Ａの右側面図である。
【図６Ｄ】図６Ａの平面図である。
【図７】本考案の第２実施形態によるカバー及びタブレット型ＰＣの斜視図である。
【図８】本考案の第２実施形態によるカバーの応用例の斜視図を示す。
【図９】本考案の第３実施形態によるカバー及びタブレット型ＰＣの斜視図であり、上カバーの第一折痕組を示す。
【図１０】本考案の第３実施形態によるカバー及びタブレット型ＰＣの斜視図であり、上カバーの第二折痕組を示す。
【図１１】本考案の第３実施形態によるカバー及びタブレット型ＰＣの斜視図であり、上カバーの第一折痕組と第二折痕組とを重ねて示す。
【考案を実施するための形態】
【０００７】
（第１実施形態）
本考案の第１実施形態によるカバーは、タブレット型電子装置３０、例えばタブレット型ＰＣ、タブレット型端末、ＰＤＡ、ポータブル電子装置等に使用される。以下ではタブレット型ＰＣを例に説明するが、それは本考案の範囲を制限するものではない。以下、図１、図２および図３に基づき第１実施形態によるカバーを詳しく説明する。
【０００８】
下殻体１０は、タブレット型ＰＣ内部のハードウェアーの保護に用いられる。下殻体１０の縁枠１１の外形は、円弧形であり、タブレット型ＰＣに完全に覆い被せることができ、タブレット型ＰＣに対して損傷を起こしうる外在環境の因子、例えば粉塵、水気及び衝撃等を隔離する。下殻体１０には数個の孔が開けられている。孔１４は、外部接続用スロットの箇所に位置し、外部のハードウェアーとの連結動作を可能にする。孔１２は、スピーカの箇所に位置し、タブレット型ＰＣが作動するときにスピーカから発する音声を通す。また、下殻体１０は、熱エネルギーがタブレット型ＰＣに対する影響の低減を提供し、また他の機能を持った複数個の孔１３が開けられている。
【０００９】
上カバー２０は、枢接等により下殻体１０と連接し、スクリーンが損傷しないように保護する。上カバー２０は、二通りの折痕を有し、その折痕を折り込むことができる。上カバー２０の折痕は必要によって設計される。必要であれば外膜を加えることもできる。本実施形態では、上カバー２０は、内部に磁石が設置され、磁力によって下殻体１０に結合される。
【００１０】
本実施形態の折痕は多数組に分けられる。その第一組は図１に示され、第二組は図２に示される。第一折痕組と第二折痕組とを重ね合わせれば図３の上カバー２０の折痕が得られる。
【００１１】
図１に示すように、第一折痕組は、上カバー２０の中心点下側に近い一点Ｐから上側の両辺角に近い箇所へそれぞれ折痕Ｑおよび折痕Ｒを画き出し、かつ概して上カバー２０の下側辺縁と平行する折痕Ｈは点Ｐを通過し、上カバー２０の上側に三角形部４１、４２、４３を形成する。点Ｐから下へ折痕Ｓが延伸され、それによって下側辺縁と折痕Ｈとの間に構成される長筋の間の平面に二枚の長方形部４４、４５が形成される。三つの三角形部４１、４２、４３は、直角に近い二つの三角形部４１、４３が二等辺に近い三角形部４２を挟みつけ、かつ各三角形部４１、４３の底辺には長方形部４５、４４が位置するように配列される。三角形部４１、４２、４３および長方形部４５、４４の間は、厚みの薄い方式をもって結合して折痕を形成する。
【００１２】
図２に示すように、第二折痕組は、第一折痕組中の折痕Ｑ及び折痕Ｒの一点を通り上カバー２０の両側辺に延伸する折痕ａと、上カバー２０の上縁と平行な折痕ａ両端の上カバー２０の下縁の両隅に近い箇所から最も近い方式をもって延伸された二本の折痕ｂおよび折痕ｃと、を含む。このように、折痕ａの上側および下側にそれぞれ梯形部が形成される。これら梯形部の間は、厚みの薄い方式で結合されて折痕を形成する。
【００１３】
図３に示すのは、第一折痕組と第二折痕組との組み合わせである。
【００１４】
本実施形態の下殻体１０は、柔軟または堅い殻体から作られる。上カバー２０は、軟質のＰＵシート、プラスチックシートまたはゴム等の材料から作られ、内部に硬い板材を包んで軟硬の結合を形成し、軟らかい溝の折り合わせを用いて立体的形状を構成し、それを用いてタブレット型ＰＣを支える。
【００１５】
図４に示すのは、第一折痕組が折り曲げられたカバーである。それは上カバー２０の二枚の三角形部４１、４３を後ろへ半折りして別の二枚の長方形部４４、４５と重ね合わせ、それによって錐体に近い立体構造を形成し、更に三角形部４２を底座にし、並びに下殻体１０を錐体構造に当て付け、図４のような形式に形成する。タブレット型ＰＣは下殻体１０の内部に設置される。図４は横置き状態を示す。
【００１６】
図５に示すのは、第一折痕組が折り曲げられたカバーである。図５では、タブレット型ＰＣは縦置きされている。
【００１７】
図６に示すのは、第二折痕組が折り曲げられたカバーであり、二つの梯形部の両側辺の三角形部が内側に折り曲げられている。そのため、前記折痕ａは上へ膨らみ、図６に示す立体の形状に形成され、前記下殻体１０が立体形状の底辺に寄り付けられる。使用時は前記折痕ａ、折痕ｂ、折痕ｃ及び上カバー２０の底縁から構成される梯形部を座体として支え面の上に置く。前記下殻体１０は上カバー２０に当て付けて立体形状を形成し、更にタブレット型ＰＣを前記下殻体１０の内部に置いてタブレット型ＰＣの支え構造を形成する。
（第２実施形態）
【００１８】
図７は、本考案の第２実施形態によるカバーを説明するものである。第２実施形態によるカバーは、第１実施形態によりカバーに対し、折痕Ｈと折痕ａとの間にそれら二本の折痕と平行する折痕Ｌが付け加えられている。折痕Ｈ、折痕ａおよび折痕Ｌは、第三折痕組を構成する。折痕Ｈ、折痕ａおよび折痕Ｌは、隣接する箇所に対し厚みが薄い方式で結合して折痕を形成する。図８には、上カバー２０が折痕ａ、折痕Ｌおよび折痕Ｈに沿って順番に折り曲げられ、三角柱を形成し、下殻体１０を三角柱の平面に寄り当て、タブレット型ＰＣを下殻体１０の内部に置き、タブレット型ＰＣを支えることができる支え構造が形成される。本案は以上の説明の折り曲げ方式に限らず、本案が提供した折痕を応用すれば違った立体形状を組合すことができ、それはすべて本案の範囲に属するものである。
（第３実施形態）
【００１９】
図９及び図１０は、本考案の第３実施形態によるカバーを説明するものである。図９に示す第一折痕組は、上カバー２０の中心点下側に近い一点Ｐ’から上側の両辺角に近い箇所へそれぞれ折痕Ｑ’、Ｒ’を画き出し、上カバー２０の下側辺縁と平行する折痕Ｈ’は点Ｐ’を通過し、上カバー２０の上側に三角形部４１、４２、４３を形成し、点Ｐ’から下へ折痕Ｓ’が延伸され、それによって下側辺縁と折痕Ｈ’とから構成される長筋の間の平面に二枚の長方形部４４、４５が形成され、三つの三角形部４１、４２、４３の排列方式は直角に近い二つの三角形部４１、４３が二等辺に近い三角形部４２を挟みつけ、かつ各三角形部４１、４３の底辺には対応の長方形部４５、４４が隣接している。三角形部４１、４２、４３および長方形部４５、４４の間は、厚みが薄い方式をもって結合して折痕を形成する。
【００２０】
図１０に示す第二折痕組は、第一折痕組中の折痕Ｈ’の左右両端にそれぞれ一点ｅ’、点ｆ’を取り、この二点は概して点Ｐ’において対称になり、左の点ｅ’から左側の二つの辺角へ二本の折痕ｅ１’、折痕ｅ２’が延伸し、右の点ｆ’から右側の二つの辺角へ二本の折痕ｆ１’、折痕ｆ２’が延伸するので、図面に示すように、折痕Ｈ’の上側及び下側にそれぞれ二つの梯形部が分割され、かつ左右両側にそれぞれ一つの三角形部が分割され、このように本案の第二折痕組が構成される。各塊の間はやや薄い方式をもって結合して折痕を形成する。
【００２１】
図１１には、上述の第一折痕組と第二折痕組とを重ね合わせたカバーを示す。
【００２２】
以上に述べたのは本考案の最適実施形態だけであり、それは本考案の実施範囲を限定するものではない。考案の趣旨を逸脱しない範囲で種々の形態で実施可能である。
【符号の説明】
【００２３】
１０・・・下殻体
２０・・・上カバー
３０・・・タブレット型電子装置用
Ｐ・・・点Ｐ
Ｑ・・・折痕Ｑ
Ｒ・・・折痕Ｒ
ａ・・・折痕ａ
ｂ・・・折痕ｂ
ｃ・・・折痕ｃ
【図１】
0003180096.tif 000003
【図２】
0003180096.tif 000004
【図３】
0003180096.tif 000005
【図４Ａ】
0003180096.tif 000006
【図４Ｂ】
0003180096.tif 000007
【図５Ａ】
0003180096.tif 000008
【図５Ｂ】
0003180096.tif 000009
【図６Ａ】
0003180096.tif 000010
【図６Ｂ】
0003180096.tif 000011
【図６Ｃ】
0003180096.tif 000012
【図６Ｄ】
0003180096.tif 000013
【図７】
0003180096.tif 000014
【図８】
0003180096.tif 000015
【図９】
0003180096.tif 000016
【図１０】
0003180096.tif 000017
【図１１】
0003180096.tif 000018
【手続補正書】
【提出日】平成24年9月21日(2012.9.21)
【手続補正１】
【補正対象書類名】明細書
【補正対象項目名】０００２
【補正方法】変更
【補正の内容】
【０００２】
タブレット型電子装置に用いられる従来のカバーは、スクリーンを保護するが、タブレット型電子装置の背部は覆わない。そのため、タブレット型電子装置の外観と感覚は依然タブレット型電子装置だけであり、額外の保護を増やしたに過ぎない。
カバーは、保護カバーとしての機能の他、もう一つの機能を有している。その機能は、動画観賞、ゲームプレー、インタネットへのアクセス等の多くの用途に役立つ機能である。カバーは、巧妙に折り畳まれ、快速に支えになり、タブレット型電子装置を自立させることができる。また、文字入力がやりやすいようにタブレット型電子装置を斜めに置くこともできる。タブレット型電子装置を手持ちしたい場合、カバーを後ろへ折り畳めば、雑誌の一ページを開いたようにもなる。内蔵のカメラで動画を撮るとき、カバーを半分折り畳み、カメラのレンズを露出させればよい。
【手続補正２】
【補正対象書類名】明細書
【補正対象項目名】０００３
【補正方法】変更
【補正の内容】
【０００３】
現在のタブレット型電子装置の携帯性は極めて大きく、それを見る場合はある角度に立てて使用者の視角に合わせなければならない。ところが、現在のタブレット型電子装置は支えがない。また、従来のカバーは折り畳み可能であるが、単一の角度にしか自立させることができず、またタブレット型電子装置を緩やかな角度にしか置けないので、往々にして使用者の視角との差異が大きい。